(57)【要約】【課題】インターフェイスの規格が改訂された場合に、それに対処するために、新規パケットのパケットヘッダーおよびパケットデータを新たに入力設定することができる送信機器を提供する。【解決手段】パケット設定モードの操作がされると、表示装置にパケットヘッダー入力画面が表示され、新規パケットおけるパケットヘッダーの値が入力される。その入力が完了したことが検知されると、表示装置にパケットデータ入力画面が表示され、新規パケットおけるパケットデータの値が入力される。その入力が完了したことが検知されると、表示装置に新規パケットの完了確認画面を表示させる。新規パケットが正しいと言う確認操作が行われると、新規パケットがメモリに記憶される。この後、送信操作されると、データ・アイランド・パケットに新規パケットを追加して受信機器に送信される。【選択図】図５
2008167367.tif 000002
【特許請求の範囲】
【請求項１】
記録媒体に記録されたデータを読み出して復調処理およびエラー訂正処理を行う信号処理部と、この信号処理部からのデータを入力して所定のデコード処理を行うデコーダ部と、ＨＤＭＩケーブルを介して前記デコーダ部からのデータを受信機器に送信するＨＤＭＩ送信部とを備えた送信機器において、
パケット設定モードの操作がされたことを検知したときに、前記受信機器の表示装置にパケットヘッダー入力画面を表示させるパケットヘッダー入力画面表示手段と、
前記表示されたパケットヘッダー入力画面に対して所望のパケットヘッダーの入力が完了したことを検知したときに、前記受信機器の表示装置にパケットデータ入力画面を表示させるパケットデータ入力画面表示手段と、
前記表示されたパケットデータ入力画面に対して所望のパケットデータの入力が完了したことを検知したときに、前記受信機器の表示装置に前記所望のパケットヘッダーおよび前記所望のパケットデータを有する新規パケットの完了確認画面を表示させる完了確認画面表示手段と、
前記完了確認画面にて前記新規パケットの設定が完了したことを示す操作を検知したとき、前記新規パケットをメモリに記憶させるバケット記憶手段と、
前記メモリに記憶された前記新規パケットによる新規機能の処理の指示を含む送信指示を検知したときに、ＨＤＭＩ規格のデータ・アイランド・パケットに前記新規パケットを追加して前記受信機器に対してＨＤＭＩのデータ送信を行わせるように前記ＨＤＭＩ送信部を制御する送信制御手段と、を有することを特徴とする送信機器。
【請求項２】
記録媒体に記録されたデータを読み出して復調処理およびエラー訂正処理を行う信号処理部と、この信号処理部からのデータを入力して所定のデコード処理を行うデコーダ部と、ＨＤＭＩケーブルを介して前記デコーダ部からのデータを受信機器に送信するＨＤＭＩ送信部とを備えた送信機器において、
パケット設定モードの操作がされたことを検知したときに、前記受信機器の表示装置にＨＤＭＩ規格のデータ・アイランド・パケットの新規設定を行うための新規設定画面を表示させる新規設定画面表示手段と、
前記新規設定画面にて新規パケットの設定が完了したことを示す操作を検知したとき、前記新規パケットをメモリに記憶させるバケット記憶手段と、を有することを特徴とする送信機器。
【請求項３】
前記新規設定画面表示手段としては、パケット設定モードの操作がされたことを検知したときに、前記受信機器の表示装置にパケットヘッダー入力画面を表示させるパケットヘッダー入力画面表示手段と、前記表示されたパケットヘッダー入力画面に対して所望のパケットヘッダーの入力が完了したことを検知したときに、前記受信機器の表示装置にパケットデータ入力画面を表示させるパケットデータ入力画面表示手段と、前記表示されたパケットデータ入力画面に対して所望のパケットデータの入力が完了したことを検知したときに、前記受信機器の表示装置に前記所望のパケットヘッダーおよび前記所望のパケットデータを有する新規パケットの完了確認画面を表示させる完了確認画面表示手段とを有し、前記バケット記憶手段は、前記完了確認画面にて前記新規パケットの設定が完了したことを示す操作を検知したとき、前記新規パケットをメモリに記憶させることを特徴とする請求項２に記載の送信機器。
【請求項４】
前記メモリに記憶された前記新規パケットによる新規機能の処理の指示を含む送信指示を検知したときに、ＨＤＭＩ規格のデータ・アイランド・パケットに前記新規パケットを追加して前記受信機器に対してＨＤＭＩのデータ送信を行わせるように前記ＨＤＭＩ送信部を制御する送信制御手段を有することを特徴とする請求項２または請求項３に記載の送信機器。
【発明の詳細な説明】
【技術分野】
【０００１】
本発明は、記録媒体に記録されたデータを読み出し所定処理してＨＤＭＩケーブルを介して受信機器に送信する送信機器に関し、特に、新規のパケットを追加するときの処理に関する。
【背景技術】
【０００２】
近年、ＤＶＤプレーヤなどに用いるテレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータおよびオーディオデータをＤＶＤプレーヤなどから送信させるため、ＨＤＭＩ（High Definition Multimedia Interface）と言うインターフェイスが用いられている。ＨＤＭＩ規格には、例えば、デジタル映像信号のブランキング期間にデジタル音声信号を多重化して音声伝送を行うことが可能である事、デジタル映像信号をＲＧＢ信号の形態で伝送する他にＹＣｂＣｒ信号の形態またはそれより高画質なＹＰｂＰｒ信号の形態で伝送することが可能である事、ＵＳＢ（Universal Serial Bus）ライクの小型のＨＤＭＩコネクタで接続することが可能である事など、ＤＶＩ規格にない種々の規定が盛り込まれている。
【０００３】
ＨＤＭＩは、ＤＶＤプレーヤなどの送信機器からテレビジョン受像機やプロジェクタなどの受信機器へビデオデータおよびオーディオデータを送信するためのインターフェイスである。ＨＤＭＩは、従来の規格であるＤＶＩ（Digital Visual Interface）Ver1.0を拡張したものである。具体的には、ＤＶＩはビデオデータのみを送信する規格のインターフェイスであるのに対し、ＨＤＭＩは、ビデオデータの他、オーディオデータおよびその他のデータもひとつのケーブルで送信できる規格のインターフェイスである。更に、ＨＤＭＩは、高品質のマルチチャンネルのオーディオデータと高解像度の各種フォーマットのビデオデータの送信が可能である。
【０００４】
ＨＤＭＩは、ＤＤＣ（Display Data Channel）通信により、各種の情報（モニタの情報、例えば、ＥＤＩＤデータ構造など）を送信するのに用いられることも可能である。ＥＤＩＤ（Extended Display Identification Data）とは、受信機器の受信可能な解像度、オーディオストリーム情報、ＨＤＭＩ受信部の持つスピーカ情報などがある。また、ＨＤＭＩは、ひとつのケーブルでビデオデータおよびオーディオデータを送信することができ、複数ケーブル接続の煩わしさがなくなるという利点を有している。例えば、ＤＶＤプレーヤからＣＳＳ（Content Scrambling System）におけるコンテンツを出力する場合において、ＨＤＭＩは、ＣＰＡＣ（Copy Protection Advisory Council）により承認されている規格のインターフェイスである。
【０００５】
前記ＤＤＣとは、通信形式の名称であり、ビデオデータの表示条件やオーディオデータの条件のデータ以外に、ＨＤＭＩモニタに関する他のデータを併せてＤＶＤプレーヤに送信するのに用いられる回線である。ＤＤＣは、ＤＶＤプレーヤ内の通信線と接続されており、ＤＶＤプレーヤとＨＤＭＩモニタとの間の回線を確立させるために用いられる。前記ＣＳＳは、データを暗号化して記録し、再生時に復号化するシステムである。
【０００６】
ＨＤＭＩ規格におけるデータ伝送は、ビデオ・データ・ピリオド（Video Data Period）、データ・アイランド・ピリオド(Data Island Period)、コントロール・ピリオド(Control Period)の３つの期間に分けて行われる。このうちのビデオ・データ・ピリオドでＥＩＡ／ＣＥＡ−８６ＩＢ規格でフォーマットされたビデオ信号のピクセルデータが伝送され、データ・アイランド・ピリオドではＩＥＣ０６９５８規格でフォーマットされたオーディオストリーム信号のパケットデータが伝送される。また、データ・アイランド・ピリオドでは、エンコードされた水平同期信号と垂直同期信号も伝送される。また、データ・アイランド・ピリオドには、ＴＥＲＣ４（ＴＭＤＳ  Error Reducing Coding in ４bit）符号法により４ビットデータを１０ビットデータにエンコードして生成したパケットデータが含まれる。その生成されたパケットデータには、ＥＩＡ／ＣＥＡ−８６１Ｂ規格のInfo FrameパケットデータやＩＥＣ０６９５Ｂ規格のパケットデータなどがある。
【特許文献１】特開２００６−９３８３４号公報
【特許文献２】特開２００５−３３３４７２号公報
【特許文献３】再表２００４／０９１２０７号公報
【発明の開示】
【発明が解決しようとする課題】
【０００７】
ところで、インターフェイスの規格が改訂される期間が例えば１年位に短くなっている現在、１年位前までの旧形式の規格を有するＤＶＤプレーヤなどの送信機器の場合、改訂されたインターフェイスの規格に機能が対応できなくなることが起きてくる。しかしながら、従来の送信機器においては、インターフェイスの規格が改訂されても、それに対処するために、新規パケットのパケットヘッダーおよびパケットデータを新たに入力設定する手段を備えていないので、インターフェイスの規格の改訂があった場合には、新しい機能による処理を実行できないと言う課題が生じる。
【０００８】
なお、特許文献１の従来技術は、ＨＤＭＩ規格データの受信装置で受信するビデオ信号の同期の検出を特別のハードウェアを設けることなく行うようにしたものであり、インターフェイスの規格が改訂された場合に、それに対処するために、新規パケットのパケットヘッダーおよびパケットデータを新たに入力設定する手段は開示されていない。
【０００９】
特許文献２の従来技術は、ＨＤＭＩ規格に準拠したデジタル伝送システムにおいて、受信したデジタル映像信号の形態に応じた信号処理を行って、正常な映像表示を行えるようにしたものであり、この従来技術も、インターフェイスの規格が改訂された場合に、それに対処するために、新規パケットのパケットヘッダーおよびパケットデータを新たに入力設定する手段は開示されていない。
【００１０】
特許文献３の従来技術は、ＭＰＥＧ形式で更新用ソフトウェアが記録されたＣＤ−ＲＯＭをテレビジョン受像機に接続されたＤＶＤ再生機器に挿入して、ＤＶＤ再生機器またはテレビジョン受像機の任意のマイクロプロセッサのソフトウェアを容易に更新するようにしたものであり、この従来技術も、インターフェイスの規格が改訂された場合に、それに対処するために、新規パケットのパケットヘッダーおよびパケットデータを新たに入力設定する手段は開示されていない。
【００１１】
本発明は、上記のような課題を解決するためになされたもので、インターフェイスの規格が改訂された場合に、それに対処するために、新規パケットのパケットヘッダーおよびパケットデータを新たに入力設定することができる送信機器を提供することを目的とする。
【課題を解決するための手段】
【００１２】
上記目的を達成するために、請求項１の発明は、記録媒体に記録されたデータを読み出して復調処理およびエラー訂正処理を行う信号処理部と、この信号処理部からのデータを入力して所定のデコード処理を行うデコーダ部と、ＨＤＭＩケーブルを介して前記デコーダ部からのデータを受信機器に送信するＨＤＭＩ送信部とを備えた送信機器において、パケット設定モードの操作がされたことを検知したときに、前記受信機器の表示装置にパケットヘッダー入力画面を表示させるパケットヘッダー入力画面表示手段と、前記表示されたパケットヘッダー入力画面に対して所望のパケットヘッダーの入力が完了したことを検知したときに、前記受信機器の表示装置にパケットデータ入力画面を表示させるパケットデータ入力画面表示手段と、前記表示されたパケットデータ入力画面に対して所望のパケットデータの入力が完了したことを検知したときに、前記受信機器の表示装置に前記所望のパケットヘッダーおよび前記所望のパケットデータを有する新規パケットの完了確認画面を表示させる完了確認画面表示手段と、前記完了確認画面にて前記新規パケットの設定が完了したことを示す操作を検知したとき、前記新規パケットをメモリに記憶させるバケット記憶手段と、前記メモリに記憶された前記新規パケットによる新規機能の処理の指示を含む送信指示を検知したときに、ＨＤＭＩ規格のデータ・アイランド・パケットに前記新規パケットを追加して前記受信機器に対してＨＤＭＩのデータ送信を行わせるように前記ＨＤＭＩ送信部を制御する送信制御手段と、を有することを特徴とする送信機器を提供する。
【００１３】
この構成において、パケットヘッダー入力画面表示手段は、パケット設定モードの操作がされたことを検知すると、表示装置にパケットヘッダー入力画面を表示させる。ユーザは、そのパケットヘッダー入力画面を見て、新規パケットおけるパケットヘッダーの値を操作部の操作により入力する。パケットデータ入力画面表示手段は、前記表示されたパケットヘッダー入力画面に対して所望のパケットヘッダーの入力が完了したことを検知すると、表示装置にパケットデータ入力画面を表示させる。
【００１４】
ユーザは、そのパケットデータ入力画面を見て、新規パケットおけるパケットデータの値を操作部の操作により入力する。完了確認画面表示手段は、前記表示されたパケットデータ入力画面に対して所望のパケットデータの入力が完了したことを検知すると、表示装置に新規パケットの完了確認画面を表示させる。ユーザは、その完了確認画面を見て、新規パケットにおけるパケットヘッダーの値およびパケットデータの値が正しいと言う確認操作を行うと、バケット記憶手段は、完了確認画面にて新規パケットの設定が完了したことを示す操作がされたことを検知し、前記新規パケットにおけるパケットヘッダーおよびパケットデータをメモリに記憶させる。
【００１５】
この後、ユーザは、ＨＤＭＩ規格のデータ・アイランド・パケットに前記新規パケットを追加して受信機器に対してＨＤＭＩのデータ送信を行わせるように、操作部を操作すると、送信制御手段は、メモリに記憶された新規パケットによる新規機能の処理の指示を含む送信指示が有ったことを検知し、ＨＤＭＩ規格のデータ・アイランド・パケットに前記新規パケットを追加して受信機器に対してＨＤＭＩのデータ送信を行わせるようにＨＤＭＩ送信部を制御する。これにより、ＨＤＭＩ送信部は、新規パケットを追加して受信機器に送信する。
【００１６】
この構成によれば、パケットヘッダー入力画面により所望のパケットヘッダーの値を入力し、次に、パケットデータ入力画面により所望のパケットデータの値を入力し、更に、完了確認画面により前記入力されたパケットヘッダーおよびパケットデータの確認が完了した後、前記所望のパケットヘッダーおよびパケットデータを有する新規パケットをメモリに記憶することができるので、新規の機能に対する処理を送信機器で実現することができ、これにより、ユーザは、新規の機能も生かせて、送信機器および受信機器を使用することができ、使用範囲が多くなって便利になる。
【００１７】
また、ＨＤＭＩ規格を生かして、送信機器から受信機器に送信されるデータ・アイランド・ピリオドの期間のデータ・アイランド・パケットにユーザが新規にパケットを追加して送信することができるので、送信機器と受信機器との接続もＨＤＭＩのまま使用でき、インターフェイスの規格が改訂されても、旧形式の規格の送信機器であっても、ユーザがカスタマイズして、パケット情報を送信させることができ、ユーザにとっては使い勝手が良いものとなる。
【００１８】
請求項２の発明は、記録媒体に記録されたデータを読み出して復調処理およびエラー訂正処理を行う信号処理部と、この信号処理部からのデータを入力して所定のデコード処理を行うデコーダ部と、ＨＤＭＩケーブルを介して前記デコーダ部からのデータを受信機器に送信するＨＤＭＩ送信部とを備えた送信機器において、パケット設定モードの操作がされたことを検知したときに、前記受信機器の表示装置にＨＤＭＩ規格のデータ・アイランド・パケットの新規設定を行うための新規設定画面を表示させる新規設定画面表示手段と、前記新規設定画面にて新規パケットの設定が完了したことを示す操作を検知したとき、前記新規パケットをメモリに記憶させるバケット記憶手段とを有することを特徴とする送信機器を提供する。
【００１９】
この構成において、新規設定画面表示手段は、パケット設定モードの操作がされたことを検知したときに、受信機器の表示装置にＨＤＭＩ規格のデータ・アイランド・パケットの新規設定を行うための新規設定画面を表示させる。そして、パケット記憶手段は、前記新規設定画面にて新規パケットの設定が完了したことを示す操作を検知したとき、前記新規パケットをメモリに記憶させる。
【００２０】
この構成によれば、新規設定画面により、所望のパケットヘッダーの値の入力、所望のパケットデータの値の入力、更に、前記入力されたパケットヘッダーおよびパケットデータの確認が完了された後、前記所望のパケットヘッダーおよびパケットデータを有する新規パケットをメモリに記憶することができるので、新規の機能に対する処理を送信機器で実現することができ、これにより、ユーザは、新規の機能も生かせて、送信機器および受信機器を使用することができ、使用範囲が多くなって便利になる。
【００２１】
請求項３の発明では、請求項２の発明において、前記新規設定画面表示手段としては、パケット設定モードの操作がされたことを検知したときに、前記受信機器の表示装置にパケットヘッダー入力画面を表示させるパケットヘッダー入力画面表示手段と、前記表示されたパケットヘッダー入力画面に対して所望のパケットヘッダーの入力が完了したことを検知したときに、前記受信機器の表示装置にパケットデータ入力画面を表示させるパケットデータ入力画面表示手段と、前記表示されたパケットデータ入力画面に対して所望のパケットデータの入力が完了したことを検知したときに、前記受信機器の表示装置に前記所望のパケットヘッダーおよび前記所望のパケットデータを有する新規パケットの完了確認画面を表示させる完了確認画面表示手段とを有し、前記バケット記憶手段は、前記完了確認画面にて前記新規パケットの設定が完了したことを示す操作を検知したとき、前記新規パケットをメモリに記憶させることを特徴とする。
【００２２】
この構成において、パケットヘッダー入力画面表示手段は、パケット設定モードの操作がされたことを検知すると、表示装置にパケットヘッダー入力画面を表示させる。ユーザは、そのパケットヘッダー入力画面を見て、新規パケットおけるパケットヘッダーの値を操作部の操作により入力する。パケットデータ入力画面表示手段は、前記表示されたパケットヘッダー入力画面に対して所望のパケットヘッダーの入力が完了したことを検知すると、表示装置にパケットデータ入力画面を表示させる。
【００２３】
ユーザは、そのパケットデータ入力画面を見て、新規パケットおけるパケットデータの値を操作部の操作により入力する。完了確認画面表示手段は、前記表示されたパケットデータ入力画面に対して所望のパケットデータの入力が完了したことを検知すると、表示装置に新規パケットの完了確認画面を表示させる。ユーザは、その完了確認画面を見て、新規パケットにおけるパケットヘッダーの値およびパケットデータの値が正しいと言う確認操作を行うと、バケット記憶手段は、完了確認画面にて新規パケットの設定が完了したことを示す操作がされたことを検知し、前記新規パケットにおけるパケットヘッダーおよびパケットデータをメモリに記憶させる。
【００２４】
この構成によれば、パケットヘッダー入力画面により所望のパケットヘッダーの値を入力し、次に、パケットデータ入力画面により所望のパケットデータの値を入力し、更に、完了確認画面により前記入力されたパケットヘッダーおよびパケットデータの確認が完了した後、前記所望のパケットヘッダーおよびパケットデータを有する新規パケットをメモリに記憶することができるので、新規の機能に対する処理を送信機器で実現することができ、これにより、ユーザは、新規の機能も生かせて、送信機器および受信機器を使用することができ、使用範囲が多くなって便利になる。
【００２５】
請求項４の発明では、請求項２の発明または請求項３の発明において、前記メモリに記憶された前記新規パケットによる新規機能の処理の指示を含む送信指示を検知したときに、ＨＤＭＩ規格のデータ・アイランド・パケットに前記新規パケットを追加して前記受信機器に対してＨＤＭＩのデータ送信を行わせるように前記ＨＤＭＩ送信部を制御する送信制御手段を有することを特徴とする。
【００２６】
この構成において、ユーザは、ＨＤＭＩ規格のデータ・アイランド・パケットに前記新規パケットを追加して受信機器に対してＨＤＭＩのデータ送信を行わせるように、操作部を操作すると、送信制御手段は、メモリに記憶された新規パケットによる新規機能の処理の指示を含む送信指示が有ったことを検知し、ＨＤＭＩ規格のデータ・アイランド・パケットに前記新規パケットを追加して受信機器に対してＨＤＭＩのデータ送信を行わせるようにＨＤＭＩ送信部を制御する。これにより、ＨＤＭＩ送信部は、新規パケットを追加して受信機器に送信する。
【００２７】
この構成によれば、ＨＤＭＩ規格を生かして、送信機器から受信機器に送信されるデータ・アイランド・ピリオドの期間のデータ・アイランド・パケットにユーザが新規にパケットを追加して送信することができるので、送信機器と受信機器との接続もＨＤＭＩのまま使用でき、インターフェイスの規格が改訂されても、旧形式の規格の送信機器であっても、ユーザがカスタマイズして、パケット情報を送信させることができ、ユーザにとっては使い勝手が良いものとなる。
【発明の効果】
【００２８】
以上のように本発明によれば、パケット設定モードの操作がされたことを検知したときに、前記受信機器の表示装置にパケットヘッダー入力画面を表示させるパケットヘッダー入力画面表示手段と、前記表示されたパケットヘッダー入力画面に対して所望のパケットヘッダーの入力が完了したことを検知したときに、前記受信機器の表示装置にパケットデータ入力画面を表示させるパケットデータ入力画面表示手段と、前記表示されたパケットデータ入力画面に対して所望のパケットデータの入力が完了したことを検知したときに、前記受信機器の表示装置に前記所望のパケットヘッダーおよび前記所望のパケットデータを有する新規パケットの完了確認画面を表示させる完了確認画面表示手段と、前記完了確認画面にて前記新規パケットの設定が完了したことを示す操作を検知したとき、前記新規パケットをメモリに記憶させるバケット記憶手段と、前記メモリに記憶された前記新規パケットによる新規機能の処理の指示を含む送信指示を検知したときに、ＨＤＭＩ規格のデータ・アイランド・パケットに前記新規パケットを追加して前記受信機器に対してＨＤＭＩのデータ送信を行わせるように前記ＨＤＭＩ送信部を制御する送信制御手段とを有するので、パケットヘッダー入力画面により所望のパケットヘッダーの値を入力し、次に、パケットデータ入力画面により所望のパケットデータの値を入力し、更に、完了確認画面により前記入力されたパケットヘッダーおよびパケットデータの確認が完了した後、前記所望のパケットヘッダーおよびパケットデータを有する新規パケットをメモリに記憶することができ、これにより、新規の機能に対する処理を送信機器で実現することができ、したがって、ユーザは、新規の機能も生かせて、送信機器および受信機器を使用することができ、使用範囲が多くなって便利になる。
【００２９】
また、ＨＤＭＩ規格を生かして、送信機器から受信機器に送信されるデータ・アイランド・ピリオドの期間のデータ・アイランド・パケットにユーザが新規にパケットを追加して送信することができるので、送信機器と受信機器との接続もＨＤＭＩのまま使用でき、インターフェイスの規格が改訂されても、旧形式の規格の送信機器であっても、ユーザがカスタマイズして、パケット情報を送信させることができ、ユーザにとっては使い勝手が良いものとなる。
【００３０】
また、本発明によれば、パケット設定モードの操作がされたことを検知したときに、前記受信機器の表示装置にＨＤＭＩ規格のデータ・アイランド・パケットの新規設定を行うための新規設定画面を表示させる新規設定画面表示手段と、前記新規設定画面にて新規パケットの設定が完了したことを示す操作を検知したとき、前記新規パケットをメモリに記憶させるバケット記憶手段とを有するので、新規設定画面により、所望のパケットヘッダーの値の入力、所望のパケットデータの値の入力、更に、前記入力されたパケットヘッダーおよびパケットデータの確認が完了された後、前記所望のパケットヘッダーおよびパケットデータを有する新規パケットをメモリに記憶することができ、これにより、新規の機能に対する処理を送信機器で実現することができ、したがって、ユーザは、新規の機能も生かせて、送信機器および受信機器を使用することができ、使用範囲が多くなって便利になる。
【発明を実施するための最良の形態】
【００３１】
以下、添付図面を参照しつつ、本発明の実施の形態について説明する。図１は本発明の一実施形態に係る送信機器を含む通信システムの構成を示すブロック図である。ここでは、送信機器として、ＤＶＤプレーヤなどについて説明するが、これに限らず、ＤＶＤレコーダやハードディスクレコーダであっても良い。
【００３２】
図１において、この通信システムＡは、ＨＤＭＩ端子付きＤＶＤプレーヤなどのようにビデオデータおよびオーディオデータを送信可能な送信機器１と、この送信機器１とＨＤＭＩケーブル２を介して接続され、送信機器１からのビデオデータにより画像を表示すると共に、送信機器１からのオーディオデータにより音声を出力する機能を有するテレビジョン受像機やプロジェクタなどのような受信機器３とから構成される。
【００３３】
送信機器１は、スピンドルモータ１２により回転する光ディスク１１に記録されたデータを光学的に読み出す光ピックアップ１３と、この光ピックアップ１３により読み出されたデータを復調処理およびエラー訂正処理を行う信号処理部１４と、この信号処理部１４からのデータを入力して所定のデコード処理を行うデコーダ部１５と、このデコーダ部１５からのデータをＨＤＭＩケーブル２を介して受信機器３に送信するＨＤＭＩ送信部１６とを備えている。受信機器３は、ＨＤＭＩ受信部３１と表示装置３２と音声出力装置３３とを備えている。
【００３４】
ＨＤＭＩケーブル２は、ＴＭＤＳ（Transition Minimized Differential Signaling）方式でＨＤＭＩ送信部１６からのビデオデータおよびオーディオデータを受信機器３に伝送するためのＴＭＤＳのラインＬ２と、送信機器１が受信機器３との接続の有無を検出するためのＨＰＤ（Hot Plug Detector）のラインＬ１と、送信機器１が受信機器３からの表示条件の情報を含む条件情報を取得するためのＤＤＣ（Display Data Channel）のラインＬ３とを備えている。また、ラインＬ３には、送信機器１の各構成要素を制御するＣＰＵ１８と、このＣＰＵ１８の動作に必要なプログラムやデータが記憶されたフラッシュＲＯＭ１９と、ＣＰＵ１８の動作に必要なデータを一時的に格納するＲＡＭ２０とが接続されている。操作部１７は、リモコンまたは本体操作部を示し、送信機器１を再生動作や送信動作あるいはその他の動作を行わせるための複数の操作キーを有し、ＣＰＵ１８に接続されている。
【００３５】
ＣＰＵ１８は、パケット設定モードの操作がされたことを検知したときに、受信機器３の表示装置３２にパケットヘッダー入力画面を表示させるパケットヘッダー入力画面表示手段と、前記表示されたパケットヘッダー入力画面に対して所望のパケットヘッダーの入力が完了したことを検知したときに、表示装置３２にパケットデータ入力画面を表示させるパケットデータ入力画面表示手段と、前記表示されたパケットデータ入力画面に対して所望のパケットデータの入力が完了したことを検知したときに、表示装置３２に前記所望のパケットヘッダーおよび前記所望のパケットデータを有する新規パケットの完了確認画面を表示させる完了確認画面表示手段と、前記完了確認画面にて前記新規パケットの設定が完了したことを示す操作を検知したとき、前記新規パケットをフラッシュＲＯＭ１９に記憶させるバケット記憶手段と、フラッシュＲＯＭ１９に記憶された前記新規パケットによる新規機能の処理の指示を含む送信指示を検知したときに、ＨＤＭＩ規格のデータ・アイランド・パケットに前記新規パケットを追加して受信機器３に対してＨＤＭＩのデータ送信を行わせるようにＨＤＭＩ送信部１６を制御する送信制御手段とを有する。
【００３６】
図２は本実施形態においてパケットヘッダー入力画面の一例を示す画面図である。このパケットヘッダー入力画面には「Packet Header を入力してください」と言うメッセージが表示され、インターフェイスの改訂された規格に応じてユーザが追加したい機能を送信機器で実現するための新規パケットおけるパケットヘッダーの値が操作部１７（図１参照）のキー操作により入力される。このパケットヘッダー入力画面は、データ・アイランド・パケットの新規設定を行うための新規設定画面に相当する。
【００３７】
図３は本実施形態においてパケットデータ入力画面の一例を示す画面図である。このパケットデータ入力画面には「Packet Data を入力してください」と言うメッセージが表示され、インターフェイスの改訂された規格に応じてユーザが追加したい機能を送信機器で実現するための新規パケットにおけるパケットデータ（サブパケットデータ）の値が操作部１７（図１参照）のキー操作により入力される。このパケットデータ入力画面も、データ・アイランド・パケットの新規設定を行うための新規設定画面に相当する。
【００３８】
図４は本実施形態において完了確認画面の一例を示す画面図である。この完了確認画面には「Packet設定完了ですか？」と言うメッセージ、Headerの値およびDataの値が表示され、またＯＫ／ＮＧが表示されている。なお、ここでは、Headerの値およびDataの値は、説明の都合上、００  ００  ・・・を示しているが、実際は追加したい機能に対応する新規パケットにおけるパケットヘッダーの値とパケットデータの値が入力されることになる。ユーザは、この完了確認画面を見て間違いがなければ、操作部１７（図１参照）のキー操作によりＯＫを選択して決定すると、新規パケットにおけるパケットヘッダーの値とパケットデータの値がフラッシュＲＯＭ１９に記憶されることになる。この完了確認画面も、データ・アイランド・パケットの新規設定を行うための新規設定画面に相当するものである。
【００３９】
なお、本実施形態では、パケットヘッダー入力画面、パケットデータ入力画面、完了確認画面を、表示装置３２に別々に表示させたが、これらの画面を一つにまとめて、データ・アイランド・パケットの新規設定を行うための新規設定画面として表示装置３２に表示させても良い。
【００４０】
図５は本実施形態において新規パケットを設定して送信させるまでの処理を説明するためのフローチャートである。このフローチャートおよび図１〜図４を参照して新規パケットを設定して送信させるまでの処理について説明する。
【００４１】
先ず、ユーザは，送信機器１の操作部１７を操作して、受信機器３の表示装置３２にセットアップ画面を表示させ、このセットアップ画面に表示されたパケット設定モードの項目を選択して決定すると、送信機器１におけるＣＰＵ１８のパケットヘッダー入力画面表示手段は、パケット設定モードの操作がされたことを検知し（ステップＳ１）、表示装置３２にパケットヘッダー入力画面（図２参照）を表示させる（ステップＳ２）。なお、セットアップ画面を表示させてパケット設定モードの項目を選択して決定する代わりに、特定コマンドを操作部１７の操作により入力して、前記パケット設定モードに設定しても良い。
【００４２】
ユーザは、そのパケットヘッダー入力画面を見て、インターフェイスであるＨＤＭＩの改訂された規格に応じて、追加したい機能を送信機器１で実現するための新規パケットおけるパケットヘッダーの値を操作部１７のカーソルキーおよび数字キーの操作により入力し、操作部１７の決定キーを操作すると、ＣＰＵ１８のパケットデータ入力画面表示手段は、前記表示されたパケットヘッダー入力画面に対して所望のパケットヘッダーの入力が完了したことを検知し（ステップＳ３）、表示装置３２にパケットデータ入力画面（図３参照）を表示させる（ステップＳ４）。
【００４３】
ユーザは、そのパケットデータ入力画面を見て、インターフェイスであるＨＤＭＩの改訂された規格に応じて、追加したい機能を送信機器１で実現するための新規パケットにおけるパケットデータの値を、操作部１７のカーソルキーおよび数字キーの操作により入力し、操作部１７の決定キーを操作すると、ＣＰＵ１８の完了確認画面表示手段は、前記表示されたパケットデータ入力画面に対して所望のパケットデータの入力が完了したことを検知し（ステップＳ５）、表示装置３２に新規パケットの完了確認画面（図４参照）を表示させる（ステップＳ６）。
【００４４】
ユーザは、その完了確認画面を見て、新規パケットにおけるパケットヘッダーの値およびパケットデータの値が正しければ、操作部１７のカーソルキーを操作して、カーソルをＯＫに設定し、決定キーを押下すると、ＣＰＵ１８のバケット記憶手段は、前記完了確認画面にて新規パケットの設定が完了したことを示す操作がされたことを検知し（ステップＳ７）、前記新規パケットにおけるパケットヘッダーおよびパケットデータをフラッシュＲＯＭ１９に記憶させる（ステップＳ８）。
【００４５】
この後、ユーザは、ＨＤＭＩ規格のデータ・アイランド・パケットに新規パケットを追加して受信機器３に対してＨＤＭＩのデータ送信を行わせるように、操作部１７をキー操作すると、ＣＰＵ１８の送信制御手段は、新規パケットによる新規機能の処理の指示を含む送信指示が有ったことを検知し（ステップＳ９）、フラッシュＲＯＭ１８から新規パケットを読み出し、データ・アイランド・パケットに新規パケットを追加して受信機器３に対してＨＤＭＩのデータ送信を行わせるようにＨＤＭＩ送信部１６を制御する。これにより、ＨＤＭＩ送信部１６は、ＨＤＭＩケーブル２のラインＬ２を介して、新規パケットを追加して受信機器３に送信する（ステップＳ１０）。そして、送信機器１から受信機器３へのＨＤＭＩのデータ送信が完了すれば（ステップＳ１１）、本処理は終了する。
【００４６】
なお、ＨＤＭＩ規格におけるデータ伝送は、背景技術の項目でも説明したように、ビデオ・データ・ピリオド（Video Data Period）、データ・アイランド・ピリオド(Data Island Period)、コントロール・ピリオド(Control Period)の３つの期間に分けて行われ、前記新規パケットは、データ・アイランド・ピリオドのブランキング期間で、データ・アイランド・パケット（Data Island Packet）として伝送される。
【００４７】
例えば、送信機器１がＤＶＤプレーヤであり、ＣＤに音楽が記録されており、その音楽をＤＶＤプレーヤで再生する際に、アーティスト名を受信機器３の表示装置３２に表示させたい場合、前述したステップＳ１〜ステップＳ８の処理により、アーティスト名に関するパケット（パケットヘッダーおよびパケットデータ）の設定を行う。ＨＭＴＩ規格によれば、ビデオデータを送信すると共に、ビデオデータのブランキング期間（データ・アイランド・ピリオドのブランキング期間）に補足データ（新規パケット）を送信する。したがって、アーティスト名に関するパケット（新規パケット）は、ビデオデータのブランキング期間に受信機器３に送信される。
【００４８】
以上説明したように本実施形態によれば、パケットヘッダー入力画面により所望のパケットヘッダーの値を入力し、次に、パケットデータ入力画面により所望のパケットデータの値を入力し、更に、完了確認画面により前記入力されたパケットヘッダーおよびパケットデータの確認が完了した後、前記所望のパケットヘッダーおよびパケットデータを有する新規パケットをメモリに記憶することができるので、新規の機能に対する処理を送信機器で実現することができ、これにより、ユーザは、新規の機能も生かせて、送信機器および受信機器を使用することができ、使用範囲が多くなって便利になる。
【００４９】
また、ＨＤＭＩ規格を生かして、送信機器から受信機器に送信されるデータ・アイランド・ピリオドの期間のデータ・アイランド・パケットにユーザが新規にパケットを追加して送信することができるので、送信機器と受信機器との接続もＨＤＭＩのまま使用でき、インターフェイスの規格が改訂されても、旧形式の規格の送信機器であっても、ユーザがカスタマイズして、パケット情報を送信させることができ、ユーザにとっては使い勝手が良いものとなる。
【産業上の利用可能性】
【００５０】
本発明は、ＤＶＤプレーヤ、ＤＶＤレコーダ、ハードディスクレコーダなどの送信機器に利用可能であり、インターフェイスの規格が改訂されても、送信機器と、送信機器とＨＤＭＩ接続されたテレビジョン受像機などの受信機器とを、追加された新規機能でも処理が可能になる。
【図面の簡単な説明】
【００５１】
【図１】本発明の一実施形態に係る送信機器を含む通信システムの構成を示すブロック図である。
【図２】前記実施形態においてパケットヘッダー入力画面の一例を示す画面図である。
【図３】前記実施形態においてパケットデータ入力画面の一例を示す画面図である。
【図４】前記実施形態において完了確認画面の一例を示す画面図である。
【図５】前記実施形態において新規パケットを設定して送信させるまでの処理を説明するためのフローチャートである。
【符号の説明】
【００５２】
１    送信機器
２    ＨＤＭＩケーブル
３    受信機器
１１    光ディスク（記録媒体）
１４    信号処理部
１５    デコーダ部
１６    ＨＤＭＩ送信部
１８    ＣＰＵ（パケットヘッダー入力画面表示手段、パケットデータ入力画面表示手段、完了確認画面表示手段、バケット記憶手段、送信制御手段）
１９    フラッシュＲＯＭ（メモリ）
３２    表示装置
【図１】
2008167367.tif 000003
【図２】
2008167367.tif 000004
【図３】
2008167367.tif 000005
【図４】
2008167367.tif 000006
【図５】
2008167367.tif 000007